(57)【要約】【課題】アダプタの線番プレートを接着剤やネジ止めすることなく簡単に取り付けできるアダプタの線番プレート取付構造を提供する。【解決手段】アダプタ取付パネル１１に設けた取付孔１２に取り付けるアダプタ２の線番を表示する線番プレート３を、前記アダプタ取付パネル１１の前面に添装するプレート本体３０にアダプタ２の取付側を挿通できる挿通部３１を設けてなるものとして、該線番プレート３を前記取付孔１２に取り付けるアダプタ２とアダプタ取付パネル１１の前面との間に挟持させて取り付ける。【選択図】図２
2009139802.tif 000002
【特許請求の範囲】
【請求項１】
アダプタ取付パネルに設けた取付孔に取り付けるアダプタの線番を表示する線番プレートを、前記アダプタ取付パネルの前面に添装するプレート本体にアダプタの取付側を挿通できる挿通部を設けてなるものとして、該線番プレートを前記取付孔に取り付けるアダプタとアダプタ取付パネルの前面との間に挟持させて取り付けたことを特徴とするアダプタの線番プレート取付構造。
【請求項２】
アダプタをアダプタ取付ホルダにより取付孔に取り付けた請求項１に記載のアダプタの線番プレート取付構造。
【発明の詳細な説明】
【技術分野】
【０００１】
本発明は、アダプタに接続している光ファイバコードとの対応関係を表示するアダプタの線番プレート取付構造に関するものである。
【背景技術】
【０００２】
従来のアダプタと光ファイバコードとの対応関係を表示するものとしては、アダプタの側方に線番プレートを接着剤により貼り付けたものや、アダプタの側方に線番表示を設けた押え板をネジ止めしたものがある（例えば、特許文献１参照）。
【０００３】
ところが、線番プレートを接着剤により貼り付けたものは貼付時に位置がずれた場合に張り直すのが厄介な問題がある。また、線番表示を設けた押え板をネジ止めしたものは、ネジ止め作業に手数が掛かるという問題がある。
【特許文献１】特開２００５−１６５１５８公報（図１、図２）
【発明の開示】
【発明が解決しようとする課題】
【０００４】
本発明は前記のような問題を解決するためになされたもので、アダプタの線番プレートを接着剤やネジ止めすることなく簡単に取り付けできるアダプタの線番プレート取付構造を提供する。
【課題を解決するための手段】
【０００５】
本発明のアダプタの線番プレート取付構造は、アダプタ取付パネルに設けた取付孔に取り付けるアダプタの線番を表示する線番プレートを、前記アダプタ取付パネルの前面に添装するプレート本体にアダプタの取付側を挿通できる挿通部を設けてなるものとして、該線番プレートを前記取付孔に取り付けるアダプタとアダプタ取付パネルの前面との間に挟持させて取り付けたことを特徴とするものを基本の発明とする。また、この発明において、アダプタをアダプタ取付ホルダにより取付孔に取り付けたものとしてもよい。
【発明の効果】
【０００６】
前記した本発明のアダプタの線番プレート取付構造は、プレート本体をアダプタ取付パネルの前面に添装したうえ該プレート本体に設けた挿通部を介してアダプタの取付側をアダプタ取付パネルに設けた取付孔に取り付ければ、線番プレートは挿通部の周縁をアダプタとアダプタ取付パネルの前面との間に挟持されて取り付けられるものである。これにより、線番プレートは接着、ネジ止めすることなく的確に取り付けでき、線番の変更があった場合の取替えも容易なものである。なお、アダプタがワンタッチにより取付孔に取り付けできないものである場合にはワンタッチ取付機能のあるアダプタ取付ホルダにより取り付ければよい。
【発明を実施するための最良の形態】
【０００７】
次に、本発明の好ましい実施の形態を図に基づき説明する。
１は余長収納トレイ等を搭載した光ファイバユニットであり、該光ファイバユニット１の前方に形成したアダプタ取付パネル１１にはアダプタ２を取り付ける取付孔１２が多数併設されている。前記アダプタ２は余長収納トレイ等から引き出した光ファイバコードのコネクタと外部の光ファイバコードのコネクタを接続するものである。
【０００８】
なお、前記アダプタ２は図１―図４に示すものは、上下方向に長い長方形状をしたアダプタ本体２１の天板部２１ａと底板部２１ｂのそれぞれ前後の中央外面に鍔片部２２、２２を張設したものである。また、鍔片部２２、２２の前後側の一方側にあるアダプタ本体２１を取付孔１２に挿入する取付側としている。そして、該アダプタ２は鍔片部２２、２２を取付孔１２の孔縁に当接して、該鍔片部２２を前記取付孔１２とアダプタ本体１１との間に形成された間隙に嵌脱自在としたアダプタ取付ホルダ４に設けた支腕部４１とアダプタ取付パネル１１との間に挟持して取付孔１２に取り付けるものとしている。
【０００９】
なお、前記アダプタ取付ホルダ４は図５に示すように、アダプタ本体２１を囲装する枠状本体４０と該枠状本体４０の上下板部４０ａ、４０ａの外面に張設した支腕部４１、４１とにより形成して、前記枠状本体４０の側板部４０ｂ、４０ｂの挿入方向の先端にスリット４０ｃにより分割した爪部４２を設けて、該爪部４２を取付孔１２の孔縁１２ａに係止して、支腕部４１と取付パネル１１との間にアダプタ本体２１の鍔片部２２、２２を挟持してアダプタ２を取付孔１２にワンタッチにより取り付けるものとしている。
【００１０】
また、アダプタ２は図７に示すように、長方形状をしたアダプタ本体２１の天板部２１ａと底板部２１ｂのそれぞれ前後の中央外面に鍔片部２２、２２を張設した一方側の取付側に位置する天板部２１ａと底板部２１ｂに抜け止め用のばね片２３、２３を設けたものとして、ばね片２３、２３側のアダプタ本体２１の取付側を取付孔１２に挿入したうえ該ばね片２３、２３により取付孔１２から抜け止めさせて鍔片部２２、２２を取付孔１２の孔縁に当接して取付孔１２にアダプタ単体で取り付けるような構成としてもよい。
【００１１】
３はアダプタ２の線番を表示する線番プレートである。この線番プレート３は、アダプタ取付パネル１１の前面に添装するプレート本体３０にアダプタ取付パネル１１の取付孔１２に取り付けるアダプタ２の取付側が挿通する挿通部３１を設けたものとしている。また、挿通部３１の側方には数字あるいはローマ字その他の記号よりなる線番を書したものである。なお、挿通部３１は図１、図２、図６（A）、（C）、（D）に示すものは取付孔１２と同形状の孔部となるものとしている。しかし、図６（B）に示すようにアダプタ取付パネル１１の前面の上部に添装して取付孔１２の全体に達しないプレート本体３０にあっては挿通部３１をＵ字切欠部よりなるものとしている。
【００１２】
そして、線番プレート３に設けた孔部より挿通部３１を前記アダプタ取付パネル１１に設けた取付孔１２に合致させたうえアダプタ取付パネル１１の前面に線番プレート３を添装する。このようにアダプタ取付パネル１１の前面に線番プレート３を添装したら前記孔部よりなる挿通部３１の周縁を前記取付孔１２にアダプタ取付ホルダ４により取り付けるアダプタ２の鍔片部２２、２２とアダプタ取付パネル１１の前面との間に挟持させて取り付けるものである。
【００１３】
なお、図７に示すアダプタ２においては、アダプタ取付ホルダ４を使用することなくアダプタ２を直接取付孔１２に取り付けて鍔片部２２、２２とアダプタ取付パネル１１の前面との間に挟持させて線番プレート３を取り付けるものとしている。
【００１４】
また、線番プレート３は図１、図２及び図６（Ａ）に示すものは、上下にコネクタ接続部を設けたアダプタ２を多数取り付ける取付孔１２を多数併設したアダプタ取付パネル１１に対応させて、取付パネル１１の前面を全体的に添装するプレート本体３０に取付孔１２と同一形状の孔部よりなる挿通部３１を多数併設したものである。
【００１５】
しかしながら、線番プレート３は前記した図１、図２及び図６（Ａ）に示すものに限るものではない。すなわち、図６（Ｂ）に示すようにアダプタ２を多数取り付ける取付孔１２を多数併設したアダプタ取付パネル１１の前面の上半部に添装するプレート本体３０に取付孔１２の上半部に対応するＵ字状切欠部よりなる挿通部３１を多数併設したものであってもよい。
【００１６】
さらに、図６（Ｃ）に示すように、１個の取付孔１２に対応した孔部よりなる挿通部３１を設けて、前記１個の取付孔１２に取り付けたアダプタ２に接続する光ファイバコードのコネクタの線番を表示するものであっても、また、図６（Ｄ）に示す２個の取付孔１２に対応した孔部よりなる挿通部３１を２個設けたものであってもよい。
【００１７】
このように構成されたものは、線番プレート３が、アダプタ取付パネル１１の前面に添装したプレート本体３０にアダプタ２の取付側が挿通する挿通部３１を設けたものであるから、該線番プレート３がアダプタ２を取付孔１２に取り付けるための障害とならないものである。
【００１８】
そして、該線番プレート３のプレート本体３０をアダプタ取付パネル１１の前面に添装したうえ前記取付孔１２に取り付けるアダプタ２とアダプタ取付パネル１１の前面との間に挟持させて取り付ければよいので、線番プレート３は接着、ネジ止めすることなく的確に取り付けでき、線番の変更があった場合の取替えも容易なものである。
【図面の簡単な説明】
【００１９】
【図１】本発明の実施形態を示す斜視図。
【図２】本発明の実施形態を線番プレートを分離した状態で示す斜視図。
【図３】本発明の実施形態の要部の断面図。
【図４】図３のＡ部分の拡大図。
【図５】本発明の実施形態に使用するアダプタとアダプタ取付ホルダの１例を示す斜視図。
【図６】本発明の実施形態に使用する各種の線番プレートを示す正面図。
【図７】本発明の実施形態に使用するアダプタの他例を示す斜視図。
【符号の説明】
【００２０】
11  アダプタ取付パネル
12  取付孔
２  アダプタ
３  線番プレート
30  プレート本体
31  挿通部
４  アダプタ取付ホルダ
【図１】
2009139802.tif 000003
【図２】
2009139802.tif 000004
【図３】
2009139802.tif 000005
【図４】
2009139802.tif 000006
【図５】
2009139802.tif 000007
【図６】
2009139802.tif 000008
【図７】
2009139802.tif 000009